(57)【特許請求の範囲】
【請求項１】
室外、エントランスに設置され訪問者により居室呼び出しを行なう呼出部（２０４）及び通話を行なう子機通話部（２０２、２０３）を有する玄関子機（２）と、前記玄関子機に接続されると共に屋内に設置され、前記玄関子機の呼び出しに応答して前記玄関子機により訪問者と通話を行なう親機通話部（３０１、３０２）を有する親機（３）とで内部ネットワークが構成され、前記玄関子機及び前記親機はそれぞれ、通常は前記内部ネットワークにおける広帯域な音声帯域を使用するサンプリング周波数に設定されているオーディオコーデック（２０５、３０５）により、音声信号をアナログ信号からデジタル信号に変換すると共にデジタル信号からアナログ信号に変換し、そのデジタル信号にて前記内部ネットワークは呼び出し、通話等のデータ送受信を行っているインターホンシステムであって、
前記親機は、外部機器に接続するためのＩＰネットワークに接続され、前記玄関子機が前記ＩＰネットワークに接続されると、前記内部ネットワークのサンプリング周波数を、当該内部ネットワークで使用する前記広帯域から前記ＩＰネットワークの音声帯域として使用される狭帯域に変更して当該親機のオーディオコーデックのサンプリング周波数とする機能と、前記内部ネットワークのサンプリング周波数を、前記内部ネットワークで使用する前記広帯域から前記ＩＰネットワークの前記音声帯域として使用される前記狭帯域に変更するための制御データを、前記玄関子機に送出する機能とを有するＣＰＵを備え、当該ＣＰＵは、前記外部機器の通話機能を終了させると、当該親機の前記オーディオコーデックのサンプリング周波数を前記内部ネットワークの前記音声帯域として使用される前記広帯域に変更し、且つ前記ＩＰネットワークのサンプリング周波数を前記内部ネットワークの前記音声帯域として使用される前記広帯域に変更するための制御データを、前記玄関子機に送出することを特徴とするインターホンシステム。
【請求項２】
室外、エントランスに設置され訪問者により居室呼び出しを行なう呼出部（２０４）及び通話を行なう子機通話部（２０２、２０３）を有する玄関子機（２）と、前記玄関子機に接続されると共に屋内に設置され、前記玄関子機の呼び出しに応答して前記玄関子機により訪問者と通話を行なう親機通話部（３０１、３０２）を有する親機（３）と、前記親機に接続されると共に屋内に設置され、前記玄関子機の呼び出しに応答して前記玄関子機により訪問者と通話を行なう親機通話部（６０１、６０２）を有する増設親機（６）とで内部ネットワークが構成され、前記玄関子機、前記親機及び前記増設親機はそれぞれ、通常は前記内部ネットワークにおける広帯域な音声帯域を使用するサンプリング周波数に設定されているオーディオコーデック（２０５、３０５、６０５）により、音声信号をアナログ信号からデジタル信号に変換すると共にデジタル信号からアナログ信号に変換し、そのデジタル信号にて前記内部ネットワークは呼び出し、通話等のデータ送受信を行っているインターホンシステムであって、
前記親機は、外部機器に接続するためのＩＰネットワークに接続され、前記玄関子機が前記ＩＰネットワークに接続されると、前記内部ネットワークのサンプリング周波数を、当該内部ネットワークで使用する前記広帯域から前記ＩＰネットワークの音声帯域として使用される狭帯域に変更して当該親機のオーディオコーデックのサンプリング周波数とする機能と、前記内部ネットワークのサンプリング周波数を、前記内部ネットワークで使用する前記広帯域から前記ＩＰネットワークの前記音声帯域として使用される前記狭帯域に変更するための制御データを、前記玄関子機及び前記増設親機に送出する機能とを有するＣＰＵを備え、当該ＣＰＵは、前記外部機器の通話機能を終了させると、当該親機の前記オーディオコーデックのサンプリング周波数を前記内部ネットワークの前記音声帯域として使用される前記広帯域に変更し、且つ前記ＩＰネットワークのサンプリング周波数を前記内部ネットワークの前記音声帯域として使用される前記広帯域に変更するための制御データを、前記玄関子機及び前記増設親機に送出することを特徴とするインターホンシステム。
【発明の詳細な説明】
【技術分野】
【０００１】
本発明は、インターホンシステムに係り、特にインターネットやＩＰ電話網を介して外部機器と通話を行なうインターホンシステムに関する。
【背景技術】
【０００２】
従来から、外部機器と通話可能なインターホンシステムとして、カメラ付玄関子機、モニタ付親機及び録画装置から成る内部ネットワークを備え、モニタ付親機がインターネットを介して外部に設置されるサーバに接続可能なテレビドアホンシステムが提案されている（例えば、特許文献１、特許文献２参照。）。
【０００３】
このようなテレビドアホンシステムは、内部ネットワークにおける機器間のデータ送受信はデジタル信号によって行われている。また、カメラ付玄関子機で撮像された画像のデータをインターネットを介してサーバにアップロードすることができ、このサーバにアップロードされた画像データを外出中の居住者が携帯端末によって確認することができる。
【０００４】
【特許文献１】特開２００３−２８３６９６号公報（第４−７頁、第１−２図）
【特許文献２】特開２００４−１５３４１８号公報（第４−８頁、第１−２図）
【発明の開示】
【発明が解決しようとする課題】
【０００５】
しかしながら、背景技術において示したテレビドアホンシステムでは、外部機器との通話は電話網を介したアナログ方式が多く、インターネットやＩＰネットワーク（以下、「ＩＰネットワーク等」という。）を介して音声通話を行なうものではなかった。また、ＩＰネットワーク等を利用して外部機器との通話を行う場合には、音声伝送用の音声コーデック（ＣＯＤＥＣ）をモニタ付親機に設けることになるので、この音声コーデックに対応させるために、インターホンシステムの内部ネットワークにおける通話帯域を狭帯域にしなければならないといった課題があった。例えば、インターホンシステムの内部ネットワークにおける通話帯域が３００Ｈｚ〜５ｋＨｚ、このサンプリング周波数が１０ｋＨｚ、また、音声コーデックの入力信号のサンプリング周波数は８ｋＨｚになるので、内部ネットワークにおける通話帯域を３００Ｈｚ〜３．４ｋＨｚの狭帯域にしなければならない。
したがって、カメラ付玄関子機及びモニタ付親機に、音声信号についてアナログ信号をデジタル信号に、デジタル信号をアナログ信号に変換（以下、「Ａ／Ｄ、Ｄ／Ａ変換」という。）するＡ／Ｄ、Ｄ／Ａ変換用のコーデックを設け、さらに、内部ネットワークの音声帯域を広く使用するために、ＩＰネットワーク等に接続するモニタ付親機にサンプリング周波数変換用の回路を設けなければならなかった。
【０００６】
本発明は、このような従来の難点を解決するためになされたもので、インターホンシステム全体のサンプリング周波数を外部ネットワークとの音声通話に必要なサンプリング周波数に切替える機能を有することで、ＩＰネットワークを介した音声通話に必要なサンプリング周波数に拘わらずインターホン内部ネットワークの音声帯域を広く使用することが可能となるインターホンシステムを提供することを目的とする。
【課題を解決するための手段】
【０００７】
上述の目的を達成する本発明の第１の態様であるインターホンシステムは、室外、エントランスに設置され訪問者により居室呼び出しを行なう呼出部及び通話を行なう子機通話部を有する玄関子機と、玄関子機に接続されると共に屋内に設置され、玄関子機の呼び出しに応答して玄関子機により訪問者と通話を行なう親機通話部を有する親機とで内部ネットワークが構成され、玄関子機及び親機はそれぞれ、通常は内部ネットワークにおける広帯域な音声帯域を使用するサンプリング周波数に設定されているオーディオコーデックにより、音声信号をアナログ信号からデジタル信号に変換すると共にデジタル信号からアナログ信号に変換し、そのデジタル信号にて内部ネットワークは呼び出し、通話等のデータ送受信を行っているインターホンシステムであって、親機は、外部機器に接続するためのＩＰネットワークに接続され、玄関子機がＩＰネットワークに接続されると、内部ネットワークのサンプリング周波数を、当該内部ネットワークで使用する広帯域からＩＰネットワークの音声帯域として使用される狭帯域に変更して当該親機のオーディオコーデックのサンプリング周波数とする機能と、内部ネットワークのサンプリング周波数を、内部ネットワークで使用する広帯域からＩＰネットワークの音声帯域として使用される狭帯域に変更するための制御データを、玄関子機に送出する機能とを有するＣＰＵを備え、当該ＣＰＵは、外部機器の通話機能を終了させると、当該親機のオーディオコーデックのサンプリング周波数を内部ネットワークの音声帯域として使用される広帯域に変更し、且つＩＰネットワークのサンプリング周波数を内部ネットワークの音声帯域として使用される広帯域に変更するための制御データを、玄関子機に送出するものである。
【０００８】
また、上述の目的を達成する本発明の第２の態様であるインターホンシステムは、室外、エントランスに設置され訪問者により居室呼び出しを行なう呼出部及び通話を行なう子機通話部を有する玄関子機と、玄関子機に接続されると共に屋内に設置され、玄関子機の呼び出しに応答して玄関子機により訪問者と通話を行なう親機通話部を有する親機と、親機に接続されると共に屋内に設置され、玄関子機の呼び出しに応答して玄関子機により訪問者と通話を行なう親機通話部を有する増設親機とで内部ネットワークが構成され、玄関子機、親機及び増設親機はそれぞれ、通常は内部ネットワークにおける広帯域な音声帯域を使用するサンプリング周波数に設定されているオーディオコーデックにより、音声信号をアナログ信号からデジタル信号に変換すると共にデジタル信号からアナログ信号に変換し、そのデジタル信号にて内部ネットワークは呼び出し、通話等のデータ送受信を行っているインターホンシステムであって、親機は、外部機器に接続するためのＩＰネットワークに接続され、玄関子機がＩＰネットワークに接続されると、内部ネットワークのサンプリング周波数を、当該内部ネットワークで使用する広帯域からＩＰネットワークの音声帯域として使用される狭帯域に変更して当該親機のオーディオコーデックのサンプリング周波数とする機能と、内部ネットワークのサンプリング周波数を、内部ネットワークで使用する広帯域からＩＰネットワークの音声帯域として使用される狭帯域に変更するための制御データを、玄関子機及び増設親機に送出する機能とを有するＣＰＵを備え、当該ＣＰＵは、外部機器の通話機能を終了させると、当該親機のオーディオコーデックのサンプリング周波数を内部ネットワークの音声帯域として使用される広帯域に変更し、且つＩＰネットワークのサンプリング周波数を内部ネットワークの音声帯域として使用される広帯域に変更するための制御データを、玄関子機及び増設親機に送出するものである。
【発明の効果】
【０００９】
本発明のインターホンシステムによれば、インターホンシステム全体のサンプリング周波数を任意に切替えることができるので、ＩＰネットワークを介して通信することができると共に、内部ネットワークにおける音声帯域を広く使用することが可能となり、高品質の通話を実現することができる。
【発明を実施するための最良の形態】
【００１０】
以下、本発明のインターホンシステムにおける好ましい実施の形態例について、図面を参照して説明する。なお、本明細書の全体を通じて、各図面に示した同一の構成要素には同一の参照番号を付すことにする。
【００１１】
本発明の好ましい実施の形態例であるインターホンシステムは図１に示すように、室外、エントランスに設置されるカメラ付玄関子機２と、屋内に設置されるモニタ付親機３とが接続され、モニタ付親機３に屋内に設置されるモニタ付増設親機６が接続されて内部ネットワークを構成し、デジタル信号にて呼び出し、通話等のデータ送受信を行っている。
また、モニタ付親機３は外部ネットワークである例えばＩＰネットワーク４を介して外部機器５に接続されている。
【００１２】
カメラ付玄関子機２は図２に示すように、訪問者を撮像して映像信号に変換するカメラ２０１と、音声を音声信号に変換する子機通話部であるマイク２０３と、音声信号を音声に変換する子機通話部であるスピーカ２０２と、居住者を呼び出すための呼出部である呼出ボタン２０４とを備えている。また、カメラ付玄関子機２は、音声信号をＡ／Ｄ、Ｄ／Ａ変換するオーディオコーデック２０５と、映像信号、音声信号、呼出・通話を制御する制御信号を処理する通信処理部２０６と、通信処理部２０６が有するハイブリッド回路により発生する音響エコーを除去するエコーキャンセラー２０７とを備えている。
【００１３】
カメラ２０１は映像信号処理回路２０８を介して通信処理部２０６に接続され、スピーカ２０２はスピーカアンプ２０９を介してオーディオコーデック２０５のアナログ信号出力端子に接続され、マイク２０３はマイクアンプ２１０を介してオーディオコーデック２０５のアナログ信号入力端子に接続されている。このオーディオコーデック２０５のデジタル信号入力端子、デジタル信号出力端子はエコーキャンセラー２０７を介して通信処理部２０６に接続され、通信処理部２０６は後述するモニタ付親機３の通信処理部３０６に伝送路Ｌ１にて接続されている。また、通信処理部２０６には呼出ボタン２０４が接続され、さらに通信処理部２０６の制御出力端子にはオーディオコーデック２０５の制御入力端子が接続されている。
【００１４】
モニタ付親機３は図２に示すように、音声信号を音声に変換する親機通話部であるスピーカ３０１と、音声を音声信号に変換する親機通話部であるマイク３０２と、カメラ付玄関子機２のカメラ２０１が撮像した映像を表示するモニタ３０３と、訪問者との通話及び終話を行うための通話ボタン３０４とを備えている。また、モニタ付親機３はカメラ付玄関子機２と同様に、音声信号をＡ／Ｄ、Ｄ／Ａ変換するオーディオコーデック３０５と、映像信号、音声信号、呼出・通話を制御する制御信号を処理する通信処理部３０６と、通信処理部３０６が有するハイブリッド回路により発生する音響エコーを除去するエコーキャンセラー３０７とを備えている。
【００１５】
さらに、モニタ付親機３は、ＩＰネットワーク４を介して外部機器５との通話を可能とする音声伝送用の音声コーデック３０９とを備えている。この音声コーデック３０９は、音声のデジタルデータをＧ．７１１、Ｇ．７２９等に対応した圧縮方式で圧縮・伸長を行うもので、ＩＰネットワーク４に伝送する情報量を少なくして当該ＩＰネットワーク４に適した音声のデジタルデータとなる。なお、Ｇ．７１１は、ＩＴＵ−Ｔ（国際電気通信連合の電気通信標準化部門）の音声符号化方式の勧告の１つで、パルス符号変調方式によってＩＰネットワーク等の電話網で６４ｋｂｐｓの伝送速度を実現する方式である。また、Ｇ．７２９もＩＴＵ−Ｔの音声符号化方式の勧告の１つで、共役構造代数励振型線形予測によってアナログ電話帯域の信号を８ｋＨｚでサンプリングし、８ｋｂｐｓの伝送速度を実現する方式である。
【００１６】
また、モニタ付親機３は、音声コーデック３０９で圧縮した音声のデジタルデータをＲＡＭ３１０に記録するＤＭＡＣ（Direct Memory Access Controler）３１１と、音声信号、映像信号、制御信号、宛先アドレス、送信元アドレスを含むフレームを形成するＩＰネットワーク用のメディアアクセス制御部（以下、「ＭＡＣ（Media Access Control）」という。）３１２と、フレームの送受信に必要な符号に変換するＩＰネットワーク用の物理メディア・インターフェースとなる物理層構築部（以下、「ＰＨＹ（Phyisical Media Interface）」という。）３１３と、モニタ付親機３の動作用プログラム等が実装されたＲＡＭ３１０、ＲＯＭ３１４と、親機全体の動作を制御するＣＰＵ３１５とを備えている。ＣＰＵ３１５は、さらに、カメラ付玄関子機２がＩＰネットワーク４に接続されると、内部ネットワークのサンプリング周波数を、内部ネットワークで使用する広帯域からＩＰネットワーク４の音声帯域として使用される狭帯域に変更してオーディオコーデック３０５のサンプリング周波数とする機能と、内部ネットワークのサンプリング周波数を、内部ネットワークで使用する広帯域からＩＰネットワーク４の音声帯域として使用される狭帯域に変更するための制御データを、カメラ付玄関子機２及びモニタ付増設親機６に送出する機能とを有している。
【００１７】
なお、ＤＭＡＣ３１１は、入出力制御装置が主記憶領域に直接アクセスして入出力を行うことができる専用の制御用プロセッサである。ＭＡＣ３１２は、ネットワークのインターフェースが持つ機能で、物理アドレスを用いたパケットの送受信、衝突の検出、再送を行うものである。ＰＨＹ３１３は、コネクタ（図示せず）を備え、データと電気信号の相互変換方式などを規定する物理層を構築するもので、この物理層はＰＣＳ（Phyisical Coding Sublayer）と呼ぶデータを符号化する部分と、ＰＭＤ（Phyisical Medium Dependent）と呼ぶ物理媒体に接続する部分から構成されている。ＣＰＵ３１５は上述した機能の他に、ＴＣＰ／ＩＰのプロトコルスタックが実装されＲＡＭ３１０に記録された音声のデジタルデータをＴＣＰ／ＩＰデータとしてパケット化する機能も有している。
【００１８】
このようなモニタ付親機３のスピーカ３０１はスピーカアンプ３１６を介してオーディオコーデック３０５のアナログ信号出力端子に接続され、マイク３０２はマイクアンプ３１７を介してオーディオコーデック３０５のアナログ信号入力端子に接続されている。このオーディオコーデック３０５のデジタル信号入力端子、デジタル信号出力端子はエコーキャンセラー３０７を介して通信処理部３０６に接続されている。また、通信処理部３０６には、映像信号処理回路３１９を介してモニタ３０３が接続され、さらに通信処理部３０６の制御出力端子にはオーディオコーデック３０５の制御入力端子が接続されている。
また、通信処理部３０６には音声コーデック３０９が接続され、音声コーデック３０９はＤＭＡＣ３１１を介してアドレス／データバス３１８に接続されている。このアドレス／データバス３１８には、ＲＡＭ３１０、ＭＡＣ３１２、ＲＯＭ３１４、ＣＰＵ３１５、映像信号処理回路３１９及び通信処理部３０６が接続されている。ＭＡＣ３１２はＰＨＹ３１３を介してＩＰネットワーク４に接続され、ＣＰＵ３１５には通話ボタン３０４が接続されている。また、ＩＰネットワーク４には図１に示すように、外部機器５が接続されている。このような外部機器５は、例えば携帯端末５１の場合には無線基地局（図示せず）を介してＩＰネットワーク４に接続され、パーソナルコンピュータ５２の場合には電話網（図示せず）を介してＩＰネットワーク４に接続されている。
【００１９】
モニタ付増設親機６は図２に示すように、モニタ付親機３から音声コーデック３０９、ＤＭＡＣ３１１、ＭＡＣ３１２及びＰＨＹ３１３を除いた構成で、音声信号を音声に変換する親機通話部であるスピーカ６０１と、音声を音声信号に変換する親機通話部であるマイク６０２と、カメラ付玄関子機２のカメラ２０１が撮像した映像を表示するモニタ６０３と、訪問者との通話及び終話を行うための通話ボタン６０４と、音声信号をＡ／Ｄ、Ｄ／Ａ変換するオーディオコーデック６０５と、映像信号、音声信号、呼出・通話を制御する制御信号を処理する通信処理部６０６と、通信処理部６０６が有するハイブリッド回路により発生する音響エコーを除去するエコーキャンセラー６０７と、モニタ付増設親機６の動作用プログラム等が実装されたＲＡＭ６０８、ＲＯＭ６０９と、増設親機全体の動作を制御するＣＰＵ６１０とを備えている。
【００２０】
スピーカ６０１はスピーカアンプ６１１を介してオーディオコーデック６０５のアナログ信号出力端子に接続され、マイク６０２はマイクアンプ６１２を介してオーディオコーデック６０５のアナログ信号入力端子に接続されている。このオーディオコーデック６０５のデジタル信号入力端子、デジタル信号出力端子はエコーキャンセラー６０７を介して通信処理部６０６に接続されている。また、通信処理部６０６には、映像信号処理回路６１３を介してモニタ６０３が接続され、さらに通信処理部６０６の制御出力端子にはオーディオコーデック６０５の制御入力端子が接続されている。この通信処理部６０６はアドレス／データバス６１４と、伝送路Ｌ２を介してモニタ付親機３の通信処理部３０６にそれぞれ接続されている。アドレス／データバス６１４には、ＲＡＭ６０８、ＲＯＭ６０９、ＣＰＵ６１０及び映像信号処理回路６１３が接続され、ＣＰＵ６１０には通話ボタン６０４が接続されている。
【００２１】
このように構成されたインターホンシステムによる動作について、以下、説明する。なお、映像系の説明は一般的な信号制御であるので説明を省略する。また、モニタ付親機３のオーディオコーデック３０５、カメラ付玄関子機２のオーディオコーデック２０５及びモニタ付増設親機６のオーディオコーデック６０５はそれぞれ、通常は内部ネットワークにおける広帯域な音声帯域を使用する音声のサンプリング周波数に設定されている。
【００２２】
訪問者がカメラ付玄関子機２の呼出ボタン２０４を操作すると、通信処理部２０６は、デジタル信号化された呼出信号を多重化して伝送路Ｌ１に伝送する。モニタ付親機３は伝送路Ｌ１に伝送された呼出信号を受信すると、エコーキャンセラー３０７を介してオーディオコーデック３０５に送出し、このオーディオコーデック３０５でデジタル信号をアナログ信号に変換する。このアナログ信号に変換された呼出信号はスピーカアンプ３１６を介してスピーカ３０１にて放音される。
【００２３】
また、モニタ付親機３の通信処理部３０６は、カメラ付玄関子機２からの呼出信号を伝送路Ｌ２に伝送する。モニタ付増設親機６は伝送路Ｌ２に伝送された呼出信号を受信すると、エコーキャンセラー６０７を介してオーディオコーデック６０５に送出し、このオーディオコーデック６０５でデジタル信号をアナログ信号に変換する。このアナログ信号に重畳された呼出信号はスピーカアンプ６１１を介してスピーカ６０１にて放音される。
【００２４】
さらに、モニタ付親機３の通信処理部３０６は、カメラ付玄関子機２からの呼出信号をＣＰＵ３１５に送出するので、ＣＰＵ３１５はその情報に基づきオーディオコーデック３０５のサンプリング周波数を、内部ネットワークで使用する広帯域からＩＰネットワークの音声帯域として使用される狭帯域に変更する。また、ＣＰＵ３１５はその情報に基づき内部ネットワークのサンプリング周波数を、内部ネットワークで使用する広帯域からＩＰネットワークの音声帯域として使用される狭帯域に変更するための制御データを、カメラ付玄関子機２及びモニタ付増設親機６に送出する。
【００２５】
カメラ付玄関子機２の通信処理部２０６がこの制御データを受信すると、その制御データに基づきオーディオコーデック２０５のサンプリング周波数を、内部ネットワークで使用する広帯域からＩＰネットワークの音声帯域として使用される狭帯域に変更する。なお、カメラ付玄関子機２がＣＰＵを有している場合には、ＣＰＵによってサンプリング周波数を変更させる。さらに、モニタ付増設親機６の通信処理部６０６がこの制御データを受信すると、その制御データはＣＰＵ６１０で入力するので、ＣＰＵ６１０はその情報に基づきオーディオコーデック６０５のサンプリング周波数を、内部ネットワークで使用する広帯域からＩＰネットワークの音声帯域として使用される狭帯域に変更する。
【００２６】
また、モニタ付親機３の通信処理部３０６は、カメラ付玄関子機２から伝送路Ｌ１に伝送された呼出用パケットから呼出信号を分離して、アドレス／データバス３１８を介してＭＡＣ３１２に伝送する。この際、呼出信号はＲＯＭ３１４に実装されたＴＣＰ／ＩＰのプロトコルスタックによりＴＣＰ／ＩＰデータとしてパケット化される。ＭＡＣ３１２はそのパケット化された呼出信号を多重化してフレーム（例えば、イーサネット（登録商標）・フレーム）に格納する。これにより、ＩＰネットワーク上を伝送させるデータとして好適になる。そして、ＰＨＹ３１３でこのフレームの送受信に必要な符号に変換して、そのデータをＩＰネットワーク４を介して外部機器５に伝送する。
【００２７】
次に、居住者がその呼び出しに対する応答をした場合について説明する。
【００２８】
居住者がモニタ付親機３で訪問者からの呼び出しを受け通話ボタン３０４を操作すると、該モニタ付親機３のスピーカ３０１、マイク３０２と、カメラ付玄関子機２のスピーカ２０２、マイク２０３との間で通話路が形成される。したがって、居住者がモニタ付親機３のマイク３０２で訪問者に話しかけると、マイク３０２からのアナログ音声信号がマイクアンプ３１７を介してオーディオコーデック３０５でデジタルデータに変換され、そのデジタル音声信号がエコーキャンセラー３０７を介して通信処理部３０６に送信される。
通信処理部３０６は、そのデジタル音声信号を多重化し、送信先であるカメラ付玄関子機２のアドレス情報を付加した通話用パケットにして、伝送路Ｌ１に伝送する。カメラ付玄関子機２は伝送路Ｌ１に伝送された通話用パケットを受信すると、通信処理部２０６で各信号に分離するので、デジタル音声信号はエコーキャンセラー２０７で受信される。エコーキャンセラー２０７で受信されたデジタル音声信号は、オーディオコーデック２０５でアナログ音声信号に変換しスピーカアンプ２０９を介してスピーカ２０２に出力するので、スピーカ２０２はそのアナログ音声信号を音声として放音させることができる。
【００２９】
また、訪問者がカメラ付玄関子機２のマイク２０３で居住者に話しかけると、マイク２０３からのアナログ音声信号がマイクアンプ２１０を介してオーディオコーデック２０５でデジタルデータに変換され、そのデジタル音声信号がエコーキャンセラー２０７を介して通信処理部２０６に送信される。通信処理部２０６は、そのデジタル音声信号を多重化し、送信先であるモニタ付親機３のアドレス情報を付加した通話用パケットにして、伝送路Ｌ１に伝送する。モニタ付親機３は伝送路Ｌ１に伝送された通話用パケットを受信すると、通信処理部３０６で各信号に分離するので、デジタル音声信号はエコーキャンセラー３０７で受信される。エコーキャンセラー３０７で受信されたデジタル音声信号は、オーディオコーデック３０５でアナログ音声信号に変換しスピーカアンプ３１６を介してスピーカ３０１に出力するので、スピーカ３０１はそのアナログ音声信号を音声として放音させることができる。
【００３０】
このようにして訪問者と居住者との通話がカメラ付玄関子機２及びモニタ付親機３によって成立する。
【００３１】
また、居住者がモニタ付増設親機６で訪問者からの呼び出しを受け通話ボタン６０４を操作すると、該モニタ付増設親機６のスピーカ６０１、マイク６０２と、カメラ付玄関子機２のスピーカ２０２、マイク２０３との間で通話路が形成される。したがって、居住者がモニタ付増設親機６のマイク６０２で訪問者に話しかけると、マイク６０２からのアナログ音声信号がマイクアンプ６１２を介してオーディオコーデック６０５でデジタルデータに変換され、そのデジタル音声信号がエコーキャンセラー６０７を介して通信処理部６０６に送信される。通信処理部６０６は、そのデジタル音声信号を多重化し、送信先であるカメラ付玄関子機２のアドレス情報を付加した通話用パケットにして伝送路Ｌ２に伝送する。モニタ付親機３の通信処理部３０６は、カメラ付玄関子機２のアドレス情報が通話用パケットに付加されているので、その伝送路Ｌ２に伝送された通話用パケットを伝送路Ｌ１に伝送する。カメラ付玄関子機２は伝送路Ｌ１に伝送された通話用パケットを受信すると、通信処理部２０６で各信号に分離する。分離されたデジタル音声信号はエコーキャンセラー２０７を介してオーディオコーデック２０５でアナログ音声信号に変換する。アナログ信号に変換された音声信号は、スピーカアンプ２０９を介してスピーカ２０２にて放音される。
【００３２】
また、訪問者がカメラ付玄関子機２のマイク２０３で居住者に話しかけると、マイク２０３からのアナログ音声信号がマイクアンプ２１０を介してオーディオコーデック２０５でデジタルデータに変換され、そのデジタル音声信号がエコーキャンセラー２０７を介して通信処理部２０６に送信される。通信処理部２０６は、そのデジタル音声信号を多重化し、送信先であるモニタ付増設親機６のアドレス情報を付加した通話用パケットにして、伝送路Ｌ１に伝送する。モニタ付親機３の通信処理部３０６は、モニタ付増設親機６のアドレス情報が通話用パケットに付加されているので、その伝送路Ｌ１に伝送された通話用パケットを伝送路Ｌ２に伝送する。モニタ付増設親機６は伝送路Ｌ２に伝送された通話用パケットを受信すると、通信処理部６０６で各信号に分離する。分離されたデジタル音声信号はエコーキャンセラー６０７を介してオーディオコーデック６０５でアナログ音声信号に変換する。アナログ信号に変換された音声信号は、スピーカアンプ６１１を介してスピーカ６０１にて放音される。
【００３３】
このようにして訪問者と居住者との通話がカメラ付玄関子機２及びモニタ付増設親機６によって成立する。
【００３４】
また、居住者が外部機器５で訪問者からの呼び出しを受け該外部機器５の通話機能を使用すると、外部機器５のスピーカ、マイク（図示せず）と、カメラ付玄関子機２のスピーカ２０２、マイク２０３との間で通話路が形成される。したがって、居住者が外出先から外部機器５のマイクで訪問者に話しかけると、該外部機器５はその音声信号をＩＰネットワーク４の音声帯域のサンプリング周波数に変換すると共に通話用パケットにし、且つＩＰネットワーク上を伝送させるのに適したデータに変換してＩＰネットワーク４に伝送する。モニタ付親機３のＰＨＹ３１３はＩＰネットワーク４に伝送されたデータを受信し、そのデータを復号化し、さらに、ＭＡＣ３１２にてフレームから通話用パケットを分離して、ＤＭＡＣ３１１を介して音声コーデック３０９に送信する。この際、ＲＯＭ３１４に実装されたＴＣＰ／ＩＰのプロトコルスタックによりデジタル音声信号が取り出されて音声コーデック３０９に送信される。音声コーデック３０９は、このデジタル音声信号を通信処理部３０６に送信する。通信処理部３０６はこのデジタル音声信号を通話用パケットにして、伝送路Ｌ１を介してカメラ付玄関子機２の通信処理部２０６に伝送する。
【００３５】
通信処理部２０６は、通話用パケットから各信号に分離するので、デジタル音声信号はエコーキャンセラー２０７で受信される。エコーキャンセラー２０７で受信されたデジタル音声信号は、オーディオコーデック２０５でアナログ音声信号に変換されスピーカアンプ２０９を介してスピーカ２０２に出力するので、スピーカ２０２はそのアナログ音声信号を音声として放音させることができる。なお、音声信号は、ＩＰネットワーク４の音声帯域のサンプリング周波数であるが、オーディオコーデック２０５のサンプリング周波数がＩＰネットワークの音声帯域として使用される狭帯域に変更されているので、デジタル信号を正常にアナログ信号に変換することができる。
【００３６】
また、訪問者がカメラ付玄関子機２のマイク２０３で居住者に話しかけると、マイク２０３からのアナログ音声信号がマイクアンプ２１０を介してオーディオコーデック２０５でデジタルデータ化され、エコーキャンセラー２０７を介して通信処理部２０６に送信される。この際、オーディオコーデック２０５のサンプリング周波数は、デジタル音声データのサンプリング周波数からＩＰネットワークの音声帯域として使用される狭帯域のサンプリング周波数に変更されている。通信処理部２０６は、そのデジタル音声信号を多重化し、送信先である外部機器５のアドレス情報を付加した通話用パケットにして、伝送路Ｌ１に伝送する。モニタ付親機３は伝送路Ｌ１に伝送された通話用パケットを受信すると通信処理部３０６で各信号を分離するが、通話用パケットに外部機器５のアドレス情報が付加されているので、デジタル音声信号を音声コーデック３０９で圧縮し、ＤＭＡＣ３１１でＲＡＭ３１０に記録する。このＲＡＭ３１０に記録されたデジタル音声データはＲＯＭ３１４に実装されたＴＣＰ／ＩＰのプロトコルスタックによりＴＣＰ／ＩＰデータとしてパケット化されてＭＡＣ３１２に送信される。このパケット化されたデジタル音声データはＭＡＣ３１２で多重化してフレームに格納される。これにより、ＩＰネットワーク上を伝送させるデータとして好適となる。そして、ＰＨＹ３１３でこのフレームの送受信に必要な符号に変換して、そのデータをＩＰネットワーク４を介して外部機器５に伝送する。
したがって、外部機器５の通話機能によりカメラ付玄関子機２のマイク２０３からの音声を放音させることができる。
【００３７】
このようにして訪問者と居住者との通話がカメラ付玄関子機２及び外部機器５によって成立する。特に、内部ネットワークにおいて採用されている広域な音声帯域のサンプリング周波数のデジタルデータを、モニタ付親機３、カメラ付玄関子機２及びモニタ付増設親機６のそれぞれでＩＰネットワーク４における音声帯域のサンプリング周波数に変換処理することができるので、ＩＰネットワーク４を介して外部機器５と通信することができると共に、カメラ付玄関子機２とモニタ付親機３との通話の場合には内部ネットワークにおける音声帯域を広く使用することが可能となり、高品質の通話を実現することができる。
【００３８】
また、居住者が外部機器５の通話機能を終了させると、外部機器５から終話信号がＩＰネットワーク４を介してモニタ付親機３に送信されるので、モニタ付親機３のＣＰＵ３１５はその終話信号に基づきオーディオコーデック３０５のサンプリング周波数を内部ネットワークの音声帯域として使用される広帯域に変更する。また、ＣＰＵ３１５はその終話信号に基づきＩＰネットワーク４のサンプリング周波数を内部ネットワークの音声帯域として使用される広帯域に変更するための制御データを、カメラ付玄関子機２及びモニタ付増設親機６に送出する。
【００３９】
カメラ付玄関子機２の通信処理部２０６がこの制御データを受信すると、その制御データに基づきオーディオコーデック２０５のサンプリング周波数を内部ネットワークの音声帯域として使用される広帯域に変更する。さらに、モニタ付増設親機６がこの制御データを受信すると、その制御データを通信処理部６０６を介してＣＰＵ６１０で受信するので、ＣＰＵ６１０はその制御データに基づきオーディオコーデック６０５のサンプリング周波数を内部ネットワークの音声帯域として使用される広帯域に変更する。
【００４０】
なお、モニタ付増設親機６もオーディオコーデック６０５のサンプリング周波数を変更する機能を有しているので、モニタ付増設親機６でＩＰネットワーク４に接続したときにも、ＩＰネットワーク４を介して外部機器５と通信することができると共に、カメラ付玄関子機２とモニタ付親機３との通話の場合には内部ネットワークにおける音声帯域を広く使用することが可能となり、高品質の通話を実現することができる。
【００４１】
また、外部機器５と、カメラ付玄関子機２、モニタ付親機３又はモニタ付増設親機６が通話中の場合に、その通話内容がモニタ付親機３のＲＯＭ３１４に記録された場合にも、モニタ付親機３のＣＰＵ３１５が、カメラ付玄関子機２がＩＰネットワーク４に接続されると、オーディオコーデック３０５のサンプリング周波数をＩＰネットワーク４の音声帯域として使用される狭帯域に変更する機能と、内部ネットワークのサンプリング周波数をＩＰネットワーク４の音声帯域として使用される狭帯域に変更する制御データを、カメラ付玄関子機２及びモニタ付増設親機６に送出する機能とを能動とさせる。したがって、そのＩＰネットワーク４を経由した録音データを再生するときには、ＩＰネットワーク４のサンプリング周波数を使用する各オーディオコーデックにＲＯＭ３１４からその録音データが送出されるので、正常に録音データを各スピーカから再生することができる。即ち、ＩＰネットワーク４を介して外部機器５と通信することができると共に、カメラ付玄関子機２とモニタ付親機３との通話の場合には内部ネットワークにおける音声帯域を広く使用することが可能となり、高品質の通話を実現することができる。
【００４２】
なお、上述した本発明の実施形態においては、親機にはモニタが、玄関子機にはカメラがそれぞれ備えられていたが、これに限らず、このような映像系を有さないインターホンシステムにおいても同様の構成で、同様の効果を得ることができる。
【００４３】
また、上述した本発明の実施形態においては、玄関子機に親機が２台接続されていたが、これに限らず、システムの規模に応じて１台以上の親機を接続することができる。
【００４４】
また、上述した本発明の実施形態においては、外部ネットワークをＩＰネットワークにしていたが、これに限らず、デジタル通信ができるネットワークならばどのようなものでもよい。
【００４５】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００４６】
【図１】本発明のインターホンシステムの構成例を示す説明図である。
【図２】本発明のインターホンシステムにおける好ましい実施の形態例を示す全体ブロック図である。
【符号の説明】
【００４７】
２……カメラ付玄関子機
２０２……スピーカ（子機通話部）
２０３……マイク（子機通話部）
２０４……呼出ボタン（呼出部）
３……モニタ付親機
３０１……スピーカ（親機通話部）
３０２……マイク（親機通話部）
３１４……ＲＯＭ
４……ＩＰネットワーク
６……モニタ付増設親機
６０１……スピーカ（親機通話部）
６０２……マイク（親機通話部）
【図１】
0004685576.tif 000002
【図２】
0004685576.tif 000003